(57)【要約】【課題】  シェーディング補正における白基準板の有効範囲を効率的に確保できる画像読取装置、画像読取方法および画像処理装置を提供することを目的とする。【解決手段】  複数のセンサと，複数のセンサの間隔による画像データのずれを補正する補正手段とを備え、センサによる走査方向がシェーディング補正時と同じ第１の原稿読み取りモードとセンサによる走査方向がシェーディング補正時と異なる第２の原稿読み取りモードとを有する画像読取装置であって、補正手段は、異なる数の遅延手段が設置された複数の経路と、センサと経路との接続を切り替え可能な切り替え手段３００とを備え、第１の原稿読み取りモードによる読み取り時及びシェーディング補正時と、第２の原稿読み取りモードによる読み取り時とで、切り替え手段３００を切り替えることにより上記課題を解決する。【選択図】  図８
2006148452.tif 000002
【特許請求の範囲】
【請求項１】
複数の色相をそれぞれ光電変換する複数のセンサと，前記複数のセンサの間隔による画像データのずれを補正する補正手段とを備え、前記センサによる走査方向がシェーディング補正時と同じ第１の原稿読み取りモードと前記センサによる走査方向がシェーディング補正時と異なる第２の原稿読み取りモードとを有する画像読取装置であって、
前記補正手段は、異なる数の遅延手段が設置された複数の経路と、前記センサと前記経路との接続を切り替え可能な切り替え手段とを備え、
前記第１の原稿読み取りモードによる読み取り時及びシェーディング補正時と、前記第２の原稿読み取りモードによる読み取り時とで、前記切り替え手段を切り替えることを特徴とする画像読取装置。
【請求項２】
前記補正手段は、前記複数の経路の前段及び後段に切り替え手段を備え、前記前段の切り替え手段と前記後段の切り替え手段との間にシェーディング補正を行うブロックが存在する場合、前記第２の原稿読み取りモードによる読み取り前に前記シェーディング補正の為の補正データを再設定することを特徴とする請求項１記載の画像読取装置。
【請求項３】
前記補正手段は、前記シェーディング補正の為の補正データを再設定することができない場合、前記シェーディング補正時に、前記第２の原稿読み取りモードによる読み取り時と同じように前記切り替え手段を切り替えると共に、前記遅延手段による遅延量を０に設定してシェーディング補正を行い、前記遅延手段による遅延量を前記第２の原稿読み取りモード用に設定したあと、前記第２の原稿読み取りモードによる読み取りを行うことを特徴とする請求項２記載の画像読取装置。
【請求項４】
前記第１の原稿読み取りモードはブックリードモードであり、前記第２の原稿読み取りモードはシートスルーモードであることを特徴とする請求項１乃至３何れか一項記載の画像読取装置。
【請求項５】
複数の色相をそれぞれ光電変換する複数のセンサと，前記複数のセンサの間隔による画像データのずれを補正する補正手段とを備え、前記センサによる走査方向がシェーディング補正時と同じ第１の原稿読み取りモードと前記センサによる走査方向がシェーディング補正時と異なる第２の原稿読み取りモードとを有する画像読取装置の画像読取方法であって、
前記補正手段は、異なる数の遅延手段が設置された複数の経路と、前記センサと前記経路との接続を切り替え可能な切り替え手段とを備え、
前記第１の原稿読み取りモードによる読み取り時と同じように前記切り替え手段を切り替えて、前記シェーディング補正を行う段階と、
前記シェーディング補正時と前記切り替え手段を切り替えて、前記第２の原稿読み取りモードによる読み取りを行う段階とを有することを特徴とする画像読取方法。
【請求項６】
複数の色相をそれぞれ光電変換する複数のセンサと，前記複数のセンサの間隔による画像データのずれを補正する補正手段とを備え、前記センサによる走査方向がシェーディング補正時と同じ第１の原稿読み取りモードと前記センサによる走査方向がシェーディング補正時と異なる第２の原稿読み取りモードとを有する画像読取装置を含む画像処理装置であって、
前記補正手段は、異なる数の遅延手段が設置された複数の経路と、前記センサと前記経路との接続を切り替え可能な切り替え手段とを備え、
前記第１の原稿読み取りモードによる読み取り時及びシェーディング補正時と、前記第２の原稿読み取りモードによる読み取り時とで、前記切り替え手段を切り替えることを特徴とする画像処理装置。
【発明の詳細な説明】
【技術分野】
【０００１】
本発明は、画像読取装置、画像読取方法および画像処理装置に係り、特に複数のラインセンサからなるカラーイメージセンサを用いた画像読取装置、画像読取方法および画像処理装置に関する。
【背景技術】
【０００２】
一般に、カラー読み取り可能な画像読取装置や，複写機，ファクシミリ等の画像処理装置には、ＲＧＢの色相をそれぞれ光電変換するラインセンサを等間隔に配置されたＣＣＤが搭載されている。例えば３本のラインセンサを等間隔に配置されたＣＣＤは、３ラインＣＣＤと呼ばれる。
【０００３】
このような３ラインＣＣＤを用いて原稿を走査する場合、３ラインＣＣＤでは原稿の特定位置を読み取るタイミングが各色相ごとにオフセット分ずれてしまう。カラー読み取りの場合には、ＲＧＢそれぞれの色相毎に処理を行えるものと、ＲＧＢ全ての情報を考慮しないと処理が行えないものとが存在するため、色相毎の補正（例えばシェーディング補正など）を行ったあと、その遅延量を何らかの手段で補正する必要があった。
【０００４】
従来の画像読取装置や画像処理装置では、ＲＧＢそれぞれの画素用にＦＩＦＯなどの遅延メモリを配置することで、各色相のラインセンサ毎の遅延を無くし、画像処理を行っていた（例えば特許文献１参照）。なお、以下の説明では、ラインセンサ毎の遅延処理をライン間補正と呼ぶ。
【０００５】
画像読取装置や画像処理装置では、副走査方向の画像の拡大，縮小を画像の走査速度を変えることによって行う場合、各色相の遅延量が変化するため、その倍率に合わせて遅延量を変化させる必要がある。例えば１００％の画像読み取りのライン間補正量がＲとＧとで４ライン、ＧとＢとで４ラインである場合、５０％の画像読み取りでは原稿の走査速度が倍となる為、各色相の遅延量がＲとＧとで２ライン、ＧとＢとで２ラインとなる。
【０００６】
また、画像読取装置や画像処理装置には、コンタクトガラス上に置かれた原稿を露光走査ユニットが走査することにより読み取りを行うブックリードタイプと、露光走査ユニットが移動せず、原稿を移動させて読み取りを行うシートスルータイプとがある。この両方の読み取り方式が実現可能な画像読取装置や画像処理装置では、一般的に原稿に対する走査方向が逆になるため、ＲＧＢのライン間補正の関係が逆になる。
【０００７】
例えばブックリードタイプによる読み取り（以下、ブックリード読み取りという）でＲに対してＧが４ライン，Ｂが８ライン遅延する条件の場合、シートスルータイプによる読み取り（以下、シートスルー読み取りという）はＢに対してＧが４ライン，Ｒが８ライン遅延する。
【特許文献１】特開２００１−１６４４２号公報
【発明の開示】
【発明が解決しようとする課題】
【０００８】
シートスルー読み取りを実施する場合には、原稿の通紙の間に、いったん露光走査ユニット（以下、キャリッジという）を白基準板方向に移動させ、白基準板を読み取ることによって、シェーディング補正と呼ばれる主走査方向のばらつきを押さえる為の補正を行っている。画像読取装置や画像処理装置では、白基準板を読み取った後、キャリッジを読み取り位置まで戻し、その後、原稿を通紙することによって原稿の読み取りを行う。以下の説明では、このような動作をＤＦシェーディングと呼ぶ。
【０００９】
しかしながら、シートスルー読み取りの場合には、ＲＧＢの関係がブックリード読み取りと逆になるため、シートスルー読み取り用のライン間補正の設定でＤＦシェーディングを行うと、ライン間補正が逆に作用してしまい、結果として図１に示すように白基準板の有効範囲が狭まってしまう。図１は、白基準板の有効範囲が狭まってしまう理由を説明する為の概念図である。
【００１０】
図１（ａ）は、シートスルー読み取り用のライン間補正の設定でＤＦシェーディングを行った場合を表している。図１（ｂ）は、ブックリード読み取り用のライン間補正の設定でＤＦシェーディングを行った場合を表している。丸印で囲まれた数字は、白基準板２５１上の各位置を表している。丸印で囲まれた数字の横方向の位置は、Ｒ，Ｇ，Ｂの画素が各位置を通過するタイミングを表している。
【００１１】
この場合、Ｒ，Ｇ，Ｂの間隔はもともと４ラインずつずれているので、Ｂの画素が白基準板２５１の読み取りを開始するのはＲの画素が９ライン目を読み取るときになる。さらに、ライン間補正としてＧのデータが４ライン、Ｂのデータが８ライン遅延される為、Ｂの画素が各位置を読み取ったデータを取得できるタイミングは、画素間隔の２倍遅れることになる。例えば図１（ａ）の場合、ＤＦシェーディングが開始されるのは、Ｒの画素が１７ライン目を読み取るときになり、白基準板２５１の有効範囲（図１中のシェーディング可能範囲）が図１（ｂ）の場合と比較して狭まってしまうことになる。この結果、ＤＦシェーディングに余分な時間が掛かることになる。
【００１２】
このようなＤＦシェーディングに掛かる余分な時間は、読み取りの高速化を阻害する要因となっている。ＤＦシェーディングに掛かる余分な時間を短縮することは、高速化を実現する上で重要となっている。
【００１３】
上記の特許文献１では、拡大，縮小を考慮してライン間補正量の設定を変更することが記載されているが、シートスルー読み取り時のＤＦシェーディングにおける読み取り方向の違いに起因する問題点を解決できていなかった。
【００１４】
本発明は、上記の点に鑑みなされたもので、シェーディング補正における白基準板の有効範囲を効率的に確保できる画像読取装置、画像読取方法および画像処理装置を提供することを目的とする。
【課題を解決するための手段】
【００１５】
上記課題を解決するため、本発明は、複数の色相をそれぞれ光電変換する複数のセンサと，前記複数のセンサの間隔による画像データのずれを補正する補正手段とを備え、前記センサによる走査方向がシェーディング補正時と同じ第１の原稿読み取りモードと前記センサによる走査方向がシェーディング補正時と異なる第２の原稿読み取りモードとを有する画像読取装置であって、前記補正手段は、異なる数の遅延手段が設置された複数の経路と、前記センサと前記経路との接続を切り替え可能な切り替え手段とを備え、前記第１の原稿読み取りモードによる読み取り時及びシェーディング補正時と、前記第２の原稿読み取りモードによる読み取り時とで、前記切り替え手段を切り替えることを特徴とする。
【００１６】
また、本発明は、複数の色相をそれぞれ光電変換する複数のセンサと，前記複数のセンサの間隔による画像データのずれを補正する補正手段とを備え、前記センサによる走査方向がシェーディング補正時と同じ第１の原稿読み取りモードと前記センサによる走査方向がシェーディング補正時と異なる第２の原稿読み取りモードとを有する画像読取装置の画像読取方法であって、前記補正手段は、異なる数の遅延手段が設置された複数の経路と、前記センサと前記経路との接続を切り替え可能な切り替え手段とを備え、前記第１の原稿読み取りモードによる読み取り時と同じように前記切り替え手段を切り替えて、前記シェーディング補正を行う段階と、前記シェーディング補正時と前記切り替え手段を切り替えて、前記第２の原稿読み取りモードによる読み取りを行う段階とを有することを特徴とする。
【００１７】
また、本発明は、複数の色相をそれぞれ光電変換する複数のセンサと，前記複数のセンサの間隔による画像データのずれを補正する補正手段とを備え、前記センサによる走査方向がシェーディング補正時と同じ第１の原稿読み取りモードと前記センサによる走査方向がシェーディング補正時と異なる第２の原稿読み取りモードとを有する画像読取装置を含む画像処理装置であって、前記補正手段は、異なる数の遅延手段が設置された複数の経路と、前記センサと前記経路との接続を切り替え可能な切り替え手段とを備え、前記第１の原稿読み取りモードによる読み取り時及びシェーディング補正時と、前記第２の原稿読み取りモードによる読み取り時とで、前記切り替え手段を切り替えることを特徴とする。
【００１８】
本発明は、センサによる走査方向がシェーディング補正時と第２の原稿読み取りモードとで異なることに起因する問題を、第１の原稿読み取りモードによる読み取り時及びシェーディング補正時と、第２の原稿読み取りモードによる読み取り時とで、切り替え手段を切り替えることにより解決している。
【００１９】
即ち、センサによる走査方向がシェーディング補正時と同じ第１の原稿読み取りモードでは、センサと経路との接続が同じになる。一方、センサによる走査方向がシェーディング補正時と異なる第２の原稿読み取りモードでは、センサと経路との接続が第１の原稿読み取りモードによる読み取り時及びシェーディング補正時と異なる。
【００２０】
このような切り替え手段による切り替えは、複数のセンサの配置と走査方向との関係により決定される。センサの配置と走査方向との関係により、読み取りが先に開始される色相の画像データを多く遅延させ、読み取りが後に開始される色相の画像データを少なく遅延させないように、センサと経路との接続を切り替える。最も遅く読み取りが開始される色相の画像データは、遅延手段が設定されていない（遅延手段が０個）経路を通過するように切り替え手段が切り替えられる。
【発明の効果】
【００２１】
本発明によれば、シェーディング補正における白基準板の有効範囲を効率的に確保できる画像読取装置、画像読取方法および画像処理装置を提供可能である。
【発明を実施するための最良の形態】
【００２２】
次に、本発明を実施するための最良の形態を、以下の実施例に基づき図面を参照しつつ説明していく。なお、以下の実施例では画像処理装置の一例として複写機を例に説明するが、如何なる画像処理装置であってもよい。
【００２３】
図２は、複写機の一例の外観図である。図２の複写機１は、スキャナ１０，操作ボード２０，自動原稿送り装置（以下、ＡＤＦという）３０，両面ドライブユニット３３，フィニッシャ３４，給紙バンク３５，大容量給紙トレイ３６，プリンタ１００を含むように構成されている。なお、複写機１はパソコン（ＰＣ）や所定のネットワークに接続するためのＩ／Ｆを含むように構成してもよい。また、複写機１は構内交換設備（ＰＢＸ）を介して又はＰＢＸを介さず一般公衆網（ＰＮ）に接続するためのＩ／Ｆを含むように構成してもよい。
【００２４】
図３は、複写機の一例のシステム構成図である。図３の複写機１は、画像データ処理装置１１０に、スキャナ１０，操作ボード２０，ＡＤＦ３０，フィニッシャ３４，給紙バンク３５，大容量給紙トレイ３６，ファックスコントロールユニット（ＦＣＵ）４０，プリンタ１００が接続されている。
【００２５】
操作ボード２０等から読み取り動作の指示を受けると、画像データ処理装置１１０のシステムコントローラはスキャナ１０及びＡＤＦ３０から成る画像読取装置に対し、読み取り動作を行うための演算やレジスタセット等の読み取り準備を行うように指示する。同時に、画像データ処理装置１１０のシステムコントローラは、読み取られた画像データを格納するためのメモリ（ＭＥＭ）やハードディスク装置（ＨＤＤ）等の格納準備を行うように指示する。
【００２６】
画像データ処理装置１１０のシステムコントローラは、読み取り準備完了および格納準備完了の通知を受けると、画像読取装置に対して読み取り開始要求を行う。画像読取装置は読み取り開始要求を受けて実際の読み取りを行い、メモリやハードディスク装置等の記録装置に読み取った画像データを転送する。転送終了後、コントローラは必要に応じてプリンタ１００等の画像出力装置に出力要求を行う。画像出力装置は、コントローラからの出力要求を受けると、記録装置に格納された画像データを夫々の媒体に出力する。
【００２７】
なお、図２の外観図および図３のシステム構成図は、公知の内容であるため、詳細部分の説明を省略する。次に、図４〜図７を用いて本発明による画像読取装置の動作例を説明する。
【００２８】
図４は、画像読取装置の一例の概略図である。図４の画像読取装置は、スキャナ１０及びＡＤＦ３０を含むように構成されている。画像読取装置は、シートスルーモードと、ブックリードモードでの読み取りが可能である。
【００２９】
シートスルーモードによる読み取りは、走行体（キャリッジ）２３３をシートスルー用コンタクトガラス２４０の下に固定し、原稿台２４１に置かれた原稿を順次通過させることで画像を読み取るものである。ブックリードモードでの読み取りは、ブックリード用コンタクトガラス２３１上で不動の原稿の下を、走行体２３３を低速で移動させることで原稿を読み取るものである。
【００３０】
ブックリードモードでは、ブックリード用コンタクトガラス２３１の下に移動する途中で白基準板２５１に走行体２３３が達したとき、白基準板２５１を読み取ることによってシェーディング補正を行う。このとき、原稿の走査方向、速度ともに白基準板２５１の読み取り時の走査方向、速度と一致するため（全てｙ方向）、シェーディング補正の前後でライン間補正の設定を切り替えない。
【００３１】
シートスルーモードでは、原稿を通過させる前に、いったん走行体２３３を白基準板２５１に移動させ、白基準板２５１を走査して読み取ることによって、シェーディング補正を行う。その後、走行体２３３は、シートスルー用コンタクトガラス２４０の下のシートスルー読み取り位置（ホームポジション）に戻される。そして、原稿を走行体２３３の上部を通過させながら走査することによって、画像の読み取りが行われる。
【００３２】
このとき、ＤＦシェーディングで白基準板２５１を読み取る動作と、シートスルー読み取りによる原稿の走査とは個別に行われる。シートスルー読み取りは、変倍率によって走査速度を変える。一方、ＤＦシェーディングにおける白基準板２５１の走査速度は変倍率によらず一定にする。
【００３３】
走行体２３３には、画像読取用の光電変換素子の一例として、ラインセンサを等間隔に配置されたＣＣＤが搭載されている。図５は、３ラインＣＣＤの一例の概略図である。図５の３ラインＣＣＤは、レッド読取部，グリーン読取部，ブルー読取部から成る。図５に示すように、走行体２３３に対する相対的な白基準板２５１の走査方向はシートスルー読み取りによる原稿の走査方向と逆になる。なお、走行体２３３に対する相対的な白基準板２５１の走査方向は、ブックリード読み取りによる原稿の走査方向と同じになる。したがって、設定すべきライン間補正量は、ＤＦシェーディング時とシートスルー読み取り時とで異なることになる。
【００３４】
図６は、ライン間補正の設定を制御する一例のフローチャートである。ステップＳ１に進み、画像読取装置はブックリード読み取りか否かを判定する。ブックリード読み取りであれば（Ｓ１においてＹＥＳ）、画像読取装置はステップＳ２に進み、ライン間補正をブックリード読み取り用に設定する。ステップＳ３に進み、画像読取装置はブックリード読み取りを実行して処理を終了する。
【００３５】
一方、ブックリード読み取りでなければ（Ｓ１においてＮＯ）、画像読取装置はステップＳ４に進み、ライン間補正をＤＦシェーディング用に設定する。画像読取装置はステップＳ５に進み、ＤＦシェーディングを実行する。ステップＳ６に進み、画像読取装置はライン間補正をシートスルー読み取り用に設定する。ステップＳ７に進み、画像読取装置はシートスルー読み取りを実行して処理を終了する。
【００３６】
図６のフローチャートによれば、ＤＦシェーディングを実行する前に、ライン間補正をＤＦシェーディング用に設定し、白基準板２５１を走査して読み取ったあとに、ライン間補正をシートスルー読み取り用に切り替える。
【００３７】
これによって、ＤＦシェーディング時においてもＲＧＢの各画素が図１（ｂ）に示すように、Ｒの画素が９ライン目を読み取るとき、白基準板２５１の同じ位置の画像データを揃って読み取れる為、白基準板２５１の有効範囲（図１中のシェーディング可能範囲）を図１（ａ）の場合と比較して広くすることができる。
【００３８】
図７は、ライン間補正量を設定するブロックの一例の構成図である。ライン間補正量を設定するブロックは、図５のレッド読取部，グリーン読取部，ブルー読取部から読み取られたＲ，Ｇ，Ｂの各画素ごとにＦＩＦＯ等の遅延メモリを複数設置した経路を有する構成であり、複数のスイッチによりライン間補正量を設定できるようになっている。
【実施例１】
【００３９】
しかしながら、図７のライン間補正量を設定するブロックは、Ｒ，Ｇ，Ｂの各画素ごとにＦＩＦＯ等の遅延メモリを複数設置すると、その分、高価となってしまう。そこで、３ラインＣＣＤの場合には、例えば図８及び図９のように、Ｒ及びＧの画素に遅延メモリを複数設置し、Ｂの画素に遅延メモリを設置しない経路を有する構成とする。
【００４０】
図８及び図９は、ライン間補正量を設定するブロックの一例の構成図である。図８及び図９のライン間補正量を設定するブロックは、Ｒ及びＢの画素の経路を入れ替えるＲＢ入れ替えブロック部３００を有している。
【００４１】
ブックリード読み取り時及びＤＦシェーディング時は、図８に示すように、Ｒ及びＢの画素の経路を入れ替えずにライン間補正の処理を行って、読み取り位置のずれを補正している。シートスルー読み取り時は、図９に示すように、Ｒ及びＢの画素の経路を入れ替えてライン間補正の処理を行い、読み取り位置のずれを補正している。その後、図８に示すように、Ｒ及びＢの画素の経路を再度入れ替えて元に戻している。
【００４２】
図１０は、ライン間補正の設定を制御する一例のフローチャートである。ステップＳ１１に進み、画像読取装置はブックリード読み取りか否かを判定する。ブックリード読み取りであれば（Ｓ１１においてＹＥＳ）、画像読取装置はステップＳ１２に進み、Ｒ及びＢの画素の経路を入れ替え無しに設定する。なお、Ｒ及びＢの画素の経路の入れ替え有り又は無しは、ＲＢ入れ替えブロック部３００により設定される。
【００４３】
画像読取装置はステップＳ１３に進み、ライン間補正をブックリード読み取り用に設定する。ステップＳ１４に進み、画像読取装置はブックリード読み取りを実行して処理を終了する。
【００４４】
一方、ブックリード読み取りでなければ（Ｓ１１においてＮＯ）、画像読取装置はステップＳ１５に進み、Ｒ及びＢの画素の経路を入れ替え無しに設定する。画像読取装置はステップＳ１６に進み、ライン間補正をＤＦシェーディング用に設定する。画像読取装置はステップＳ１７に進み、ＤＦシェーディングを実行する。
【００４５】
ステップＳ１８に進み、画像読取装置はＲ及びＢの画素の経路を入れ替え有りに設定する。ステップＳ１９に進み、画像読取装置はライン間補正をシートスルー読み取り用に設定する。ステップＳ２０に進み、画像読取装置はシートスルー読み取りを実行して処理を終了する。
【００４６】
図１０のフローチャートによれば、ＤＦシェーディングを実行する前に、Ｒ及びＢの画素の経路を入れ替え無しに設定し、ＤＦシェーディングでの白基準板２５１の走査速度に合わせたライン間補正量に設定し、白基準板２５１を走査して読み取ったあとに、Ｒ及びＢの画素の経路を入れ替え有りに設定し、読み取りの変倍率に合わせたライン間補正量に設定し、シートスルー読み取りを実行する。
【００４７】
これによって、シートスルー読み取りの際に、Ｒ及びＢの画素の経路を入れ替える画像読取装置においても、白基準板２５１の有効範囲（図１中のシェーディング可能範囲）を図１（ａ）の場合と比較して広くすることができる。
【実施例２】
【００４８】
前述した図８及び図９のライン間補正量を設定するブロックについて、各色相ごとに処理を行うものについては、前段のＲＢ入れ替えブロック部３００よりも前かつ後段のＲＢ入れ替えブロック部３００よりも後で行うことが理想である。しかしながら、画像読取装置の構成上の都合で、図１１のように後段のＲＢ入れ替えブロック部３００よりも前に一部の処理を行うものもある。
【００４９】
図１１は、ライン間補正量を設定するブロックの一例の構成図である。図１１のライン間補正量を設定するブロックは、Ｒ及びＢの画素の経路を入れ替えるＲＢ入れ替えブロック部３００を有している。さらに、図１１のライン間補正量を設定するブロックは後段のＲＢ入れ替えブロック部３００の前後に各色相毎の補正ブロック３１０，３２０を有している。
【００５０】
例えば補正ブロック３１０は、シェーディング補正を行う。また、補正ブロック３２０はドット補正（ライン間補正の小数点部分の補正）を行う。なお、図１１のように補正ブロック３１０，３２０を有する構成は、従来機で採用していた回路を共通使用するためのものである。したがって、補正ブロック３２０を省略し、補正ブロック３２０の処理を補正ブロック３１０に行わせる構成としてもよい。
【００５１】
ブックリード読み取り時及びＤＦシェーディング時は、Ｒ及びＢの画素の経路を入れ替えずにライン間補正の処理を行って、読み取り位置のずれを補正している。また、シートスルー読み取り時は、Ｒ及びＢの画素の経路を入れ替えてライン間補正の処理を行い、読み取り位置のずれを補正している。その後、Ｒ及びＢの画素の経路を再度入れ替えて元に戻している。
【００５２】
図１２は、ライン間補正の設定を制御する一例のフローチャートである。ステップＳ３１に進み、画像読取装置はブックリード読み取りか否かを判定する。ブックリード読み取りの場合（Ｓ３１においてＹＥＳ）、画像読取装置は図１０のステップＳ１２〜Ｓ１４と同様に、ステップＳ３２〜Ｓ３４の処理を行う。
【００５３】
一方、ブックリード読み取りでない場合（Ｓ３１においてＮＯ）、画像読取装置は図１０のステップＳ１５〜Ｓ１７と同様に、ステップＳ３５〜Ｓ３７の処理を行う。ステップＳ３８に進み、画像読取装置は以下のような処理を行う。図１１のライン間補正量を設定するブロックでは、ＤＦシェーディングを実行した後に、Ｒ及びＢの画素の経路を入れ替え有りに設定しても、得られた補正データがＲとＢとで逆になっている。
【００５４】
そこで、画像読取装置はステップＳ３８に進み、補正ブロック３１０，３２０における各色相毎の補正データをＣＰＵからセットし直す。そして、図１０のステップＳ１８〜Ｓ２０と同様に、ステップＳ３９〜Ｓ４１の処理を行う。
【００５５】
図１２のフローチャートによれば、得られた補正データがＲとＢとで逆になっているとしても、補正データをセットし直すことができる。これによって、シートスルー読み取りの際に、Ｒ及びＢの画素の経路を入れ替えるためのＲＢ入れ替えブロック部３００の間に補正ブロック３１０が存在する場合であっても、白基準板２５１の有効範囲（図１中のシェーディング可能範囲）を図１（ａ）の場合と比較して広くすることができる。
【実施例３】
【００５６】
前述した図１１のライン間補正量を設定するブロックについて、各色相毎の補正データをＣＰＵからセットし直す必要のない例を説明する。一般に、シェーディングなどの補正処理は複雑な演算やフィードバック処理によってＣＰＵに負荷をかけるため、ＡＳＩＣと呼ばれるＣＰＵ外部の処理デバイスで行うことが多い。このような場合、補正データはＡＳＩＣから書き換えられる。
【００５７】
したがって、ＣＰＵ側から補正データをセットし直すようにするためには、更にレジスタに対して入力段を与える必要があり、コストアップにつながる。この結果、ＣＰＵ側から補正データの書き換えができず、ＡＳＩＣのレジスタを読み取ることしかできない場合があった。このような場合、画像読取装置は例えば図１３のフローチャートのように処理を行う。
【００５８】
図１３は、ライン間補正の設定を制御する一例のフローチャートである。ステップＳ５１に進み、画像読取装置はブックリード読み取りか否かを判定する。ブックリード読み取りの場合（Ｓ５１においてＹＥＳ）、画像読取装置は図１０のステップＳ１２〜Ｓ１４と同様に、ステップＳ５２〜Ｓ５４の処理を行う。
【００５９】
一方、ブックリード読み取りでなければ（Ｓ５１においてＮＯ）、画像読取装置はステップＳ５５に進み、Ｒ及びＢの画素の経路を入れ替え有りに設定する。画像読取装置はステップＳ５６に進み、ライン間補正を全て０に設定する。画像読取装置はステップＳ５７に進み、ＤＦシェーディングを実行する。
【００６０】
ステップＳ５８に進み、画像読取装置はライン間補正をシートスルー読み取り用に設定する。ステップＳ５９に進み、画像読取装置はシートスルー読み取りを実行して処理を終了する。
【００６１】
図１３のフローチャートによれば、Ｒ及びＢの画素の経路を入れ替え有りに設定し、ライン間補正量を０に設定したあと、ＤＦシェーディングを行い、読み取りの変倍率に合わせたライン間補正量に設定し、シートスルー読み取りを実行する。これによって、各色相毎の補正データをＣＰＵ側からセットし直すことができない場合であっても、白基準板２５１の有効範囲（図１中のシェーディング可能範囲）を図１（ａ）の場合と比較して広くすることができる。
【００６２】
本発明は、具体的に開示された実施例に限定されるものではなく、特許請求の範囲から逸脱することなく、種々の変形や変更が可能である。
【図面の簡単な説明】
【００６３】
【図１】白基準板の有効範囲が狭まってしまう理由を説明する為の概念図である。
【図２】複写機の一例の外観図である。
【図３】複写機の一例のシステム構成図である。
【図４】画像読取装置の一例の概略図である。
【図５】３ラインＣＣＤの一例の概略図である。
【図６】ライン間補正の設定を制御する一例のフローチャートである。
【図７】ライン間補正量を設定するブロックの一例の構成図である。
【図８】入れ替え無しでライン間補正量を設定するブロックの一例の構成図である。
【図９】入れ替え有りでライン間補正量を設定するブロックの一例の構成図である。
【図１０】ライン間補正の設定を制御する一例のフローチャートである。
【図１１】ライン間補正量を設定するブロックの一例の構成図である。
【図１２】ライン間補正の設定を制御する一例のフローチャートである。
【図１３】ライン間補正の設定を制御する一例のフローチャートである。
【符号の説明】
【００６４】
１    複写機
１０    スキャナ
２０    操作ボード
３０    自動原稿送り装置（ＡＤＦ）
１１０    画像データ処理装置
２３１    ブックリード用コンタクトガラス
２３３    走行体
２４０    シートスルー用コンタクトガラス
２４１    原稿台
２５１    白基準板
３００    ＲＢ入れ替えブロック
３１０，３２０    補正ブロック
【図１】
2006148452.tif 000003
【図２】
2006148452.tif 000004
【図３】
2006148452.tif 000005
【図４】
2006148452.tif 000006
【図５】
2006148452.tif 000007
【図６】
2006148452.tif 000008
【図７】
2006148452.tif 000009
【図８】
2006148452.tif 000010
【図９】
2006148452.tif 000011
【図１０】
2006148452.tif 000012
【図１１】
2006148452.tif 000013
【図１２】
2006148452.tif 000014
【図１３】
2006148452.tif 000015